Podtech/llm-jp-corpus-v4-ja_patent huggingface dataset:
(57)【要約】【課題】絵画の照明は、表面からの照射は可能であるが、その装置もない場合が多い。従って夜間、薄暗いところでは折角の絵画が目立たないというのが現状である。本発明は内部からの照明を確立し、絵の雰囲気や暖か味を提供する。【解決手段】額の背面にボックスを取り付け鉄板とマグネット板により照射球を設置して、必要数の照射をするもので、電気又は電池の配線をしてスイッチを設置して内部からの照明を特徴とするともしび額である。【選択図】図４
2012111220.tif 000002
【特許請求の範囲】
【請求項１】
額の背面にボックスを取り付け鉄板とマグネット板により、照射球を設置して必要数の照射をするもので、電気又は電池の配線をしてスイッチを設置したともしび額。
【発明の詳細な説明】
【技術分野】
【０００１】本発明は、絵画額に対する裏側から照射に関するものである。
【背景技術】
【０００２】従来、夕方から夜にかけての絵画は、色彩だけで表現されてきたが裏からの照射によって更に絵画の効果を期待するものである。
【発明の概要】
【発明が解決しようとする課題】
【０００３】絵画の存在確認や薄暗い場所、夜間の鑑賞も容易で絵画の雰囲気、暖かさが付加され人の心を惹きつけて、鑑賞者の感銘が図られ、その絵画の持つ大事な雰囲気、あたたかさを理解してもらうためになされたものである。
【課題を解決するための手段】
【０００４】額の裏側に箱を取り付け、亜鉛引鉄板を貼り付けてマグネット板に３ワット程度のナツメ球を設置して照射するもので、配線を繋げれば何個でも付けられる。
尚、１００Ｖの電灯線の他に電池でも可能である。
いずれも、スイッチを取り付けて必要のないときは消せるようにする。
市販の額のサイズは規格品で裏に設置する箱はプラスチック製とする。
【発明の効果】
【０００５】照射することによって絵画の持つ大事な雰囲気と暖かさ等を保持することが出来る。
場合によっては動物の目に付けることも可能である。尚、亜鉛引鉄板を張ることによってマグネット板と照明球の調整も簡単で熱による危険性も解消できる。
本発明は絵画額だけでなく写真額にも利用できる。
【図面の簡単な説明】
【０００６】
【図１】額裏側のパネルの切り取り部をカットした正面図
【図２】額裏側に設置する箱の部材図。
【図３】箱の裏蓋に部材を接着取り付け後の斜視図
【図４】裏側箱の内面に鉄板、マグネット板を設置した配線図
【発明を実施するための形態】
【０００７】以下本発明の実施の形態を説明する。
（イ）額の裏側パネル（１）に切り取り部（裏側パネルマット）（３）をカットする。
（ロ）パネル縁▲２▼に合わせて裏箱の上下部材▲４▼（上部幅５ｃｍ前後）▲５▼（下部幅２ｃｍ前後）を接着し横材▲６▼に配線孔▲７▼をあけて接着する。
（ハ）箱の裏蓋（８）の上部に換気孔（９）をあけ裏蓋▲８▼を接着する。
（ニ）箱の内側パネル縁（１０）の切り口の中の箱の裏蓋（８）の内側に照明予定箇所を考えて亜鉛引き鉄板（１１）を鉄板固定テープ（１２）で固定する。
（ホ）ソケット（１３）をマグネット板（１４）に両面テープ（１５）で接着する。
そしてナツメ球（１６）を取り付け照明の芯出し（１７）（ナツメ球を上下左右絵によって照射方向位置を調整）した上でマグネット板（１４）を設置。
（ヘ）配線（１８）を配線固定テープ（１９）を必要箇所に設置して配線（１８）を固定する。
（ト）配線（１８）の端を配線孔（７）から箱の外に出してスイッチ（２０）及び差し込み（２１）を取りつける。
（チ）箱を裏返しにして額に設置して調整する。
【符号の説明】
【０００８】１額裏側のパネル  ２パネルの縁  ３切り取り部（裏側パネルマット）
４箱の上部材（幅５ｃｍ前後）  ５箱の下部材（幅２ｃｍ前後）
６箱の横材  ７配線孔  ８箱の裏蓋  ９換気孔  １０箱の内側パネル
１１亜鉛引鉄板  １２鉄板固定テープ  １３マグネット板  １４ソケット
１５両面テープ  １６ナツメ球  １７照明の芯出し  １８配線  １９配線固定テープ
２０スイッチ  ２１差し込み
【図１】
2012111220.tif 000003
【図２】
2012111220.tif 000004
【図３】
2012111220.tif 000005
【図４】
2012111220.tif 000006
(57)【要約】      （修正有）【課題】１・２か月先の予定をカレンダーに書き込む時、めくりながらの作業は思うように出来ない、又１・２か月前に書き込んだ物は切り取っておくことが多く、なかなか確認できない。このようなことを無くし、１年間の予定が残り、管理しやすいカレンダーを提供する。【解決手段】表裏又は片面を印刷したカレンダーや絵画・写真・イラスト等の印刷物１に連結穴２を設け、裏から連結部品３を通し、表に出た突起部を他の印刷物１の連結穴２に差し込み上下左右に連結して使う。連結したカレンダー等の印刷物１の一部に、ホワイトボードの様なメモ伝言ボード４や電話番号・寸法・価格・使用方法・注意事項等が書き込める確認ボード５も連結できる。使用しない月のカレンダー１は使用するカレンダー１の下に連結しておき、使用するカレンダー１をその上に重ねて使うため、邪魔にならず紛失せず、１年間の記録として残せるので管理しやすい。【選択図】図１
2012111218.tif 000002
【特許請求の範囲】
【請求項１】
カレンダーと絵画等を連結部品で連結して上下左右連結して使用するカレンダーで、カレンダー用紙又は布・金属・化学紙等の表裏両面にカレンダーと絵画・写真・イラスト等を印刷した物（１）に連結用の穴（２）を２個から８個設け連結部品（３）を用いて、カレンダー裏から下部の連結穴（２）から連結部品（３）を通して表に出た突起に、他のカレンダー（１）の上部の連結穴（２）を差し込み上下重なる様にする。
又は縦に連結穴を設ければ横にも連結でき、上下左右に連結できるカレンダー
尚一番上のカレンダーは画鋲やフック等で固定する。
【請求項２】
請求項１のカレンダーの片面だけにカレンダーを印刷したカレンダー
【請求項３】
請求項１のカレンダー表裏両面にカレンダーを印刷したカレンダー
【請求項４】
請求項１のカレンダーに使用できるホワイトボードの様に書いたり消したりできるボードに連結用の穴を２個から８個設け、連結部品を用いて上下左右に連結して使うメモ・伝言ボード（４）
【請求項５】
請求項１のカレンダーに使用できる、よく使う電話帳・寸法表・価格表・使用方法・注意事項等を書き込めるボードに連結用の穴を２個から８個設け、連結部品を用いて、上下左右に連結して使う確認ボード（５）
【発明の詳細な説明】
【技術分野】
【０００１】カレンダー及びポスター
【背景技術】
【０００２】電話通話中、１・２か月先の予定を書き込む時、めくりながらの作業が思うように出来ない、又１・２か月前に書き込んだ物は切り取ってあり、なかなか確認が出来ない
電話通話中、メモが多くなったり訂正等で、思う様にメモが取れない。
電話通話中、知りたい電話番号・寸法・価格・使用方法・注意事項等がわからないで、探したり聞いたりいいかげんな応答になり、後で問題に。
【発明の開示】
【発明が解決しようとする課題】
【０００３】電話通話中、１・２か月先の予定を書き込む時、めくりながらの作業が思う様に出来ない又１・２か月前に書き込んだ物は切り取ってあり、なかなか確認が出来ない。
電話通話中、メモが多くなったり訂正等で、ごちゃごちゃになり思う様にメモが取れない
電話通話中、知りたい電話番号・寸法・価格・使用方法・注意事項等がわからないで、探したり聞いたりいいかげんな応答になりました。【０００４】カレンダーの一部が伝言板として使えないか。【０００５】カレンダーの一部に、よく使う電話番号・寸法・価格・使用方法・注意事項が書き込め、確認出来る部分がほしい。【０００６】カレンダー回りに好みの癒される、写真・絵画・イラスト等が並べられないか。【０００７】１年間の予定が完全に残り、管理しやすくならないか。
【課題を解決するための手段】
【０００８】印刷されたカレンダーや絵画・写真・メモ伝言・確認ボードに、連結用の穴を設け、そこに連結部品をカレンダーの裏から通し、出てきた突起部に重ね差し込み上下連結して使用出来るスペースに合わせて連結調整して使用するカレンダー
尚メモ伝言ボードは、書いたり消したりできるホワイトボードの様な物。
【発明を実施するための形態】
【０００９】使用する月のカレンダーの回りに上下左右に使用出来るスペースに応じて、絵画・写真・イラストやメモ伝言・確認ボードを組合せ連結する事で、使い易く癒されるカレンダー。
【００１０】カレンダーの取り替えは簡単で、使用しない月のカレンダーは使用するカレンダーの下に連結しておき、その上に使用するカレンダーを重ねて連結する事により、邪魔にならず又紛失も全く無く、１年間の記録が残り管理保管が簡単に出来る。
【発明の効果】
【００１１】電話通話中にカレンダーへ１・２か月先の予定の書き込みや、１・２か月前の予定が簡単確実に出来ました。
【００１２】使い方で、１１か月先・１１か月前の予定の書き込みや確認が簡単に出来る。
【００１３】電話通話中ホワイトボードの様なメモ伝言ボードがあると、メモが多くなったり訂正等でもごちゃごちゃにならず後で整理しやすい。又伝言板としてもつかえる。
【００１４】カレンダーの回りに好みの写真やイラストを連結し、見るだけでもポスターを見ているみたいで癒されます。
【００１５】１年間の記録が完全に残り管理保管が簡単です。
【００１６】事務所や作業場では、出勤・欠勤・早番・遅番・予定日・打ち合せ日・結果報告カレンダーとしてつかえます。
【００１７】家庭では、誕生日・記念日・学校行事・各種ゴミだし日・何かの記録に、健康管理に血圧の記録・薬服用日・通院日・色々使えるカレンダー
【図面の簡単な説明】
【００１８】
【図１】  使用図
【図２】  連結断面図
【符号の説明】１        カレンダー本体
２        連結穴
３        連結部品
４        メモ・伝言ボード
５        確認ボード
【図１】
2012111218.tif 000003
【図２】
2012111218.tif 000004
(57)【要約】【課題】  主に個人で取り交わす比較的定型的な契約において、簡単、迅速に有効な契約書作成を支援すること。【解決手段】  集中記入方式で作成した契約書フォーマットを、カード用紙に印字することにより、この課題を解決する。【選択図】図１
2012153130.tif 000002
【特許請求の範囲】
【請求項１】
集中記入方式で作成した契約書フォーマットを、名刺サイズのカード用紙に印字したことを特徴とする、契約書カード。
【発明の詳細な説明】
【技術分野】
【０００１】  本発明は、特に個人の間で取り交わす金銭貸借等の比較的定型的な契約書を、簡単、迅速に作成できるようにした、契約書カードである。
【背景技術】
【０００２】  わが国の法律では、口頭のみで契約は成立するが、後日の紛争を回避するため、実務的には契約書などの文書を作成すべきであるが、特に個人間での少額な金銭貸借をする際は、大抵の場合、外出先や時間的余裕がない場合が多いため、当事者のみによる口約束、または名刺の裏等を利用したメモ書き程度で、金銭の貸し借りを行わざるを得ないのが実情である。そのため契約内容の曖味さや、規定漏れなどの不備があるなど、必ずしも有効な契約が締結されているとは限らない。【０００３】  これに関する従来の技術としては、契約書のひな形文書データをネットワークを介してユーザに送信し、当該ひな形に記入すべき事項のデータを、当該ひな形文書データと併せて受信することにより、契約書原文をユーザに納品するという契約書作成代行支援ビジネス支援方法が開示されている（特許文献１参照）。
【特許文献１】  特開２００２−７４２０６号公報
【発明の開示】
【発明が解決しようとする課題】
【０００４】  しかし、従来の技術で契約書を作成する場合、作成にある程度の準備期間がある場合にしか対応できず、迅速に作成できるものではない。そこで、本発明は、外出先や時間的余裕のない場面においても、簡単、迅速に有効な契約書の作成を支援することを課題とする。
【課題を解決するための手段】
【０００５】  この課題を解決するための発明は、ユーザー自身が、最低限必要な事項のみ記入する構成の契約書フォーマットを、財布等に携帯できる名刺サイズのカード用紙に印字したことを特徴とする、契約書カードである。【０００６】  例えば、金銭借用証書を作成する場合、「金額の表示」、「利息の約束」、「借入日の表示」、「返済方法の表示」「借主の署名捺印」、「貸主の氏名」の６つの事項は最低記載しておくべきである。【０００７】  そこで、これらの必要事項の記入スペースを確保するために、契約書の中で変更する必要のない基本定型文と、ユーザー自身が最低限記入する必要がある記入箇所を分離し、その記入スペースを集中させた構成（以下、集中記入方式という。）で契約書フォーマットを作成することで、狭い印字スペースにおいても、ユーザーが記入するためのスペースを確保することが可能となる。【０００８】  また、基本定型文として、専門的知識を有する違約条項等も、予め記載しておくことができるため、複雑な契約文書を構成することも可能となる。
【発明の効果】
【０００９】  本発明により、単なる穴埋め式とは違い、明確に区切られた記入スペースが集中しているため、専門的知識の乏しいユーザーにおいても、記入漏れや不備のない有効な契約書が、簡単、迅速に作成することができる。【００１０】  また、名刺サイズのカード用紙に印字することで、常用的に財布等に携帯しておくことが可能であるため、突然の金銭貸借の場合などでも、外出先等で有効な契約書が簡単、迅速に作成することができる。
【発明を実施するための最良の形態】
【００１１】  図１は、集中記入方式で作成した契約書フォーマットを、縦に二つ折りにした名刺サイズのカード用紙に印字した全体イメージである。これにより常用的に携帯することが可能となる。【００１２】  図２は、集中記入方式で作成した契約書フォーマットの基本定型文を、縦に二つ折りにした名刺サイズのカード用紙の正面部分に印字したイメージサンプルである。これにより、面倒な基本定型文の記載は省略でき、規定漏れを防止することができる。【００１３】  図３は、集中記入方式で作成した契約書フォーマットの記入スペースを、縦に二つ折りにした名刺サイズのカード用紙の見開き部分に印字したイメージサンプルである。同図に示すように、記入スペースが集中しているため、記入漏れを防止することができる。【００１４】  図４は、収入印紙貼付欄を、縦に二つ折りにした名刺サイズのカード用紙の背面部分に印字したイメージサンプルである。これにより、収入印紙の貼付スペースを確保している。【００１５】  これら用紙の種類は、通常の用紙でよい。また、用紙の種類、大きさ、形状など変更してもよい。さらに、当該サンプルのような差入式契約書だけでなく、連名式の通常契約書や誓約書等にも代用することができる。
【産業上の利用可能性】
【００１６】  本発明に係る契約書カードは、工業的に量産することが可能であるため、産業上の利用可能性を有する。
【図面の簡単な説明】
【００１７】
【図１】  契約書カードの全体イメージである。
【図２】  契約書カードの正面部分のイメージサンプルである。
【図３】  契約書カードの見開き部分のイメージサンプルである。
【図４】  契約書カードの背面部分のイメージサンプルである。
【符号の説明】
【００１８】  １      縦に二つ折りにした名刺サイズの契約書カード
２      契約書カードの基本定型文のサンプル
３      契約書カードの記入スペースのサンプル
４      契約書カードの収入印紙貼付欄のサンプル
【図１】
2012153130.tif 000003
【図２】
2012153130.tif 000004
【図３】
2012153130.tif 000005
【図４】
2012153130.tif 000006
(57)【要約】      （修正有）【課題】上下連結出来るカレンダーを提供する。【解決手段】カレンダー上部に爪として使える下向きの切れ込み１を２個から８個設け、カレンダー下部に爪を差し込み連結出来る穴２を２個から８個設け、穴２に爪１を差し込み、２枚のカレンダーを上下に連結出来るカレンダー及びポスター。又は上下反対に、下部に上向きの爪１を設け、上部に穴２を設け、爪１に穴２を差し込み、上下に連結出来るカレンダー及びポスター。上下の爪により上下連結出来る、ホワイトボードの様なメモ・伝言ボード３。【選択図】図１
2012153131.tif 000002
【特許請求の範囲】
【請求項１】
カレンダー上部に爪として使える下向きの切れ込み（１）を２個から８個設け、カレンダー下部に爪を差し込み連結出来る穴（２）を２個から８個設け、穴（２）に爪（１）を差し込み、２枚のカレンダーを上下に連結出来るカレンダー及びポスター。
又は上下反対に、下部に上向きの爪（１）を設け、上部に穴（２）を設け、爪（１）に穴（２）を差し込み、上下に連結出来るカレンダー及びポスター。
【請求項２】
カレンダー上部と下部に、爪として使える切り込み（１）を２個から８個づつ設け、下部の上向きの爪の内側に、他のカレンダー上部の下向きの爪を差し込み、上下連結出来るカレンダー及びポスター。
又は下部の上向きの爪の外側に、他のカレンダー上部の下向きの爪を裏から差し込み上下連結出来る。
【請求項３】
請求項１の爪と穴、請求項２の上下の爪により上下連結出来る、ホワイトボードの様なメモ・伝言ボード（３）。
【請求項４】
請求項１の爪と穴、請求項２の上下の爪により上下連結出来る、よく使う電話番号・寸法表・価格表・使用方法・注意事項等を書き込める、確認ボード（４）。
【発明の詳細な説明】
【技術分野】
【０００１】カレンダー及びポスター
【背景技術】
【０００２】電話通話中、１・２か月先の予定を書き込む時、めくりながらの作業が思う様に出来ない又１・２か月前に書き込んだ物は切り取ってあり、なかなか確認出来ない。
電話通話中、メモが多くなったり訂正等で、思う様にメモが取れない。
電話通話中、知りたい電話番号・寸法・価格・使用方法・注意事項等がわからないで、探したり人に聞いたりしても、いいかげんな応対になり、後で問題に。
【発明の開示】
【発明が解決しようとする課題】
【０００３】電話通話中、１・２か月先の予定を書き込む時、めくりながらの作業が思う様に出来ない又１・２か月前に書き込んだ物は切り取ってあり、なかなか確認出来ない
電話通話中、メモが多くなったり訂正でごちゃごちゃになり思う様にメモが取れない
電話通話中、知りたい電話番号・寸法・価格・使用方法・注意事項等がわからないで、探したり人に聞いたりいいかげんな応対になり、後で問題に。【０００４】カレンダーの一部に、後でまとめる為のメモ欄や伝言板の様な物がほしい。【０００５】カレンダーの一部に、メモとは別によく使う電話番号・寸法・価格・使用方法・注意事項が書き込め、確認が簡単に出来る様に出来ないか。【０００６】カレンダーの回りに、好みの癒される写真・絵画・イラスト・風景等並べられないか。【０００７】一年間の予定や行事が完全に残り、管理しやすくならないか。
【課題を解決するための手段】
【０００８】印刷されたカレンダーや絵画・写真・イラスト・メモ伝言ボード・確認ボード等に設けた連結用の穴に、カレンダーの切り込みから作った爪を差し込み上下連結するカレンダー
又、カレンダー上部と下部に設けた切り込みから、作った爪を噛み合わせて上下連結するカレンダー。
使用出来るスペースに合わせて連結調節出来るカレンダー。
【発明を実施するための形態】
【０００９】使用する月のカレンダーの回りに上下左右に使用出来るスペースに応じて、絵画・写真・イラストやメモ伝言・確認ボード等を組合せ連結する事で、使い易く癒されるカレンダー
【００１０】カレンダーの取り替えは簡単で、使用しない月のカレンダーは使用するカレンダーの下に連結しておき、その上に使用するカレンダーを重ねる事により、邪魔にならず又紛失も全くなく、一年間の記録が残り管理保管が簡単に出来る。
【発明の効果】
【００１１】電話通話中にカレンダーへ１・２か月先の予定の書き込みや、１・２か月前の記録が簡単で確実に出来ました。
【００１２】使い方で、１１か月先の予定の書込や、１１か月前の記録の確認が簡単に出来る。
【００１３】電話通話中にホワイトボードの様なメモ伝言ボードがあると、メモが多くなったり訂正等でも、ごちゃごちゃにならず後で整理してカレンダーに書き込める。
又伝言板としても使え便利です。
【００１４】電話通話中、確認ボードを見ながらだと正確な応対ができ、トラブルが少なくなり信頼が生まれてきます。
【００１５】電話通話中でも、それ以外でもカレンダー回りの好みの写真やイラストを見ているだけでも癒されてます。
【００１６】一年間の記録が完全に残り管理保管が簡単に出来ます。
【００１７】事務所や作業場では、出勤・欠勤・早番・遅番・予定日・打ち合せ日・結果報告等に使えるカレンダー。
【００１８】家庭では、誕生日・記念日・学校行事・各種ゴミ出し日・色々な記録に、健康管理に血圧の記録・薬服用日・通院日・色々使えるカレンダー。
【図面の簡単な説明】
【００１９】
【図１】使用図
【図２】連結断面図
【符号の説明】１        切れ込み連結爪
２        連結穴
３        メモ伝言ボード
４        確認ボード
【図１】
2012153131.tif 000003
【図２】
2012153131.tif 000004
(57)【要約】      （修正有）【課題】花粉症の原因である花粉のアレルゲン性を不活性する方法および不活性化剤を提供する。【解決手段】空気中に浮遊している、または物体に付着した花粉を柿渋と接触させることを含む花粉アレルゲン不活性化方法および柿渋を有効成分とする花粉アレルゲン不活性化剤。【選択図】なし【特許請求の範囲】
【請求項１】
空気中に浮遊している、または物体に付着した花粉を柿渋と接触させることを含む花粉アレルゲンを不活性する方法。
【請求項２】
有効成分として柿渋を含んでいる花粉アレルゲン不活性化剤。
【請求項３】
精製柿渋液を少なくとも１％含んでいる請求項２の花粉アレルゲン不活性化剤。
【発明の詳細な説明】
【技術分野】
【０００１】
本発明は、花粉症の原因である花粉アレルゲンと反応し、不活性化する方法および不活性化剤に関する。
【背景技術】
【０００２】
花粉症は、花粉に感作された個体が原因花粉に暴露されることにより発症するアレルギー疾患である。毎年ほぼ同じ時期にスギ、ヒノキなどの樹木から大量の花粉が飛散し、風に乗って遠隔地まで運ばれ、広い地域で人々に花粉症を発症させる。
【０００３】
花粉の飛散を防止することは不可能であるが、空気中に含まれる花粉をフィルターを通して捕捉し、清浄化する方法や、花粉と接触させることによりそのアレルゲン性を不活性化させる不活性化剤で処理する方法が花粉症の予防方法として知られている。
【０００４】
特許文献１および特許文献２には、タンニン酸のアレルゲン不活性化剤としての使用が提案され、アレルゲンとして花粉などの植物アレルゲンが挙げられている。
【０００５】
【特許文献１】特開昭６１−４４８２１号公報
【特許文献２】特開２００６−３３５９３４号公報
【０００６】
タンニンとは、植物から抽出され、動物の生皮を鞣すことができる物質の総称である。タンニンは、酸、アルカリまたは酵素によって没食子酸等の酸とグルコースなどの糖に加水分解される加水分解型タンニンと、ケルセチンやミリセチンが多数縮合して高分子となった縮合型タンニンに分類される。タンニン酸は前者である。
【０００７】
柿渋は縮合型タンニンを主成分とし、タンパク質と結合し、不溶性の沈澱を形成することから古くから清酒のオリを除去する清澄剤などとして使用されている。しかしながら柿渋またはその主成分である縮合型タンニンが花粉アレルゲンと結合し、不活性化する作用があることは報告されておらず、実験的に証明されていない。
【発明の開示】
【０００８】
本発明は、空気中に浮遊している、または物体に付着した花粉を柿渋と接触させることよりなる花粉アレルゲンを不活性化する方法に関する。
【０００９】
他の面において、本発明は柿渋を有効成分として含む花粉アレルゲン不活性化剤に関する。
【発明を実施するための最良の形態】
【００１０】
柿渋は、原料生柿を搾汁し、濾過、滅菌し、発酵により糖分を取除いて精製した柿渋液、または精製した柿渋液を噴霧乾燥して得られる濃縮粉末がある。両者共に清酒清澄用として規格化された一定品質の商品が販売されている。本発明の目的に対しては、この精製柿渋液を水で例えば１００倍程度まで希釈して用いることができる。精製柿渋乾燥粉末を匹敵する濃度に水に溶解して用いてもよい。
【００１１】
精製柿渋の希釈液は、直接花粉を含む空気に接触させるか、またはミストとして限られた空間にスプレーすることにより、浮遊している花粉のアレルゲン性を不活性化することができる。精製柿渋希釈液は空気清浄機、エアコンディショナー等のフィルターにしみ込ませて捕集した花粉を不活性化するために使用することもできる。さらにマスクへ着用直前に柿渋希釈液をスプレーしたり、飛散した花粉が付着した疑いある衣服にスプレーし、不活性化することもできる。
【００１２】
柿渋の花粉アレルゲン不活性化の有効性を証するため、以下の試験を行った。
【００１３】
１．試験の目的
試料を反応させたアレルゲン溶液中のアレルゲン中の低減効果を検討する。
２．材料
試料：精製柿渋液
対象アレルレゲン：スギ花粉（Ｃｒｙｊ１）
アレルゲン溶液：Ｃｒｙｊ１を濃度１００ｎｇ／ｍｌに溶解したリン酸緩衝液（ＰＢＳ）
測定サンプル：アレルゲン溶液に試料精製柿渋が１％濃度になるように添加し、４℃で６時間反応させて調製した。
３．方法
試料と反応させたアレルゲン溶液のアレルゲン濃度を酵素免疫測定法（サンドイッチＥＬＩＳＡ法）で測定し、試料と反応させる前のアレルゲン溶液のアレルゲン濃度と比較してアレルゲン濃度低減率（％）を以下の計算式によって算出した。
低減率（％）＝（Ｂ−Ａ）／Ｂ×１００
Ａ：試料反応後のアレルゲン溶液中のアレルゲン濃度
Ｂ：試料反応前のアレルゲン溶液中のアレルゲン濃度
４．結果
測定サンプル        アレルゲン濃度          低減率
（ｎｇ／ｍｌ）          （％）  
試料反応前          １２９．１５
試料反応後            １０．００          ９２．０３
【００１４】
以上の結果は、精製柿渋液は１％濃度（１００倍希釈）でも花粉アレルゲンと結合して不活性化し得ることを示している。
(57)【要約】【課題】  車をバックさせ止める時，アクセルを制限するものはなかった，バック時は後ろを向いたままブレーキを踏むことが殆どなので，万が一にでも間違えると，事故になることがある。【解決手段】  バック１９の位置にシフトレバー１８が入ると，スイッチ１が入りモーター２が二重の筒３，６を回し，上の筒６が下の筒３のラセンの穴４，５を進んで回る，上の筒６と一体のアーム１０がワイヤー１１を引き，繋がるストッパー１２が起きてアクセルの踏み込みを制限する。【選択図】図４
2012153352.tif 000002
【特許請求の範囲】
【請求項１】
シフトレバー１８がバックに入ると，バックの位置に設けたロッド２２が押され，繋がるワイヤー１１を引く。
【請求項２】
シフトレバー１８がバックに入ると，バックの位置に設けたスイッチ１が入り，モーター２が二重の筒３，６を回し，上の筒６が下の筒３のラセンの穴４，５を進んで回る，筒６と一体のアーム１０がワイヤー１１を引く。
【請求項３】
ワイヤー１１に引かれストッパー１２が起きる。
【発明の詳細な説明】
【技術の分野】
【０００１】  この発明は，オートマチック車のシフトレバーがバックに入ると，ロッドが押されワイヤーを引きストッパーが起き，アクセルの踏み込みを規制する，ストッパーに関するものである。
【背景技術】
【０００２】  従来，自動車をバックさせる時，アクセルを規制するような装置はなかった。
【発明の開示】
【発明が解決しょうとする課題】
【０００３】  従来，バック時にアクセルの踏み込みを規制する装置はなかった。
このためブレーキとアクセルを間違えて踏み込み，事故を起こすことがあった。
本発明はこのような事故を無くすためになされたものである。
【課題を解決するための手段】
【０００４】  １．手動式  バック１９の位置にシフトレバー１８が入ると，ロッド２２が押されワイヤー１１を引きストッパー１２が起き，アクセル１６の踏み込みを制限する。
２．電動式  バック１９の位置にシフトレバー１８が入ると，スイッチ１が入り，モーター２が下の筒３（ラセンの穴４，５が左右対象にある）を回し，重り８を巻いた上の筒６のバー７が，ラセンの穴４，５を通り抜け進んでから回る。
上の筒６の溝９にはめたアーム１０（回転は空転する）がワイヤー１１を引き，繋がるストッパー１２を起こし，アクセル１６の踏み込みを制限する。
本発明は，以上の構成によりなるアクセル１６を制限する，ストッパー１２である。
【発明の効果】
【０００５】  万一，誤ってブレーキのつもりでアクセル１６を踏み込んでも，ストッパー１２に当たり踏み込めず，慌てずブレーキを踏み直すことができる。
【発明を実施するための最良の形態】
【０００６】  １．手動式  バック１９の位置にロッド２２を設け，シフトレバー１８がバック１９に入るとロッド２２が押されワイヤー１１を引き，ストッパー１２が起きてストッパー止め２３で止まり，アクセル１６の踏み込みを制限する。
２．電動式  バック１９にシフトレバー１８が入ると，スイッチ１入りモーター２が下の筒３（ラセンの穴４，５）を回し，重り８を巻いた上の筒６のバー７が，下の筒３のラセンの穴４，５を通して進んで回る。
上の筒６の溝９にはめたアーム１０（隙間が空転させる）が進み，繋がるワイヤー１１が引かれストッパー１２を起こし，ストッパー止め２３に当たって止まりながら，アクセル１６の踏み込みを制限する。
手動式．  シフトレバー１８がバック１９を出ると，ロッド２２とストッパー１２がスプリング１３に引かれ元の位置に戻る。
電動式．  シフトレバー１８がバック１９を出ると，スイッチ１が切れて上の筒６とストッパー１２がスプリング１３に引かれ元の位置に戻る。
アクセルの制限は１４００回転位，これは走ることも坂を登ことも普通にできる速度である。
バック１９での牽引や，遠方までバック１９する時はスイッチ１７を切るとモーター２が止まり，アクセル１６を踏み込み回転を上げて走らせることができる。
【図面の簡単な説明】
【０００７】
【図１】本発明の手動式．ストッパー１２が倒れた状態でアクセル１６の踏み込みが出来る斜視図である。
【図２】シフトレバー１８がバック１９に入り，ストッパー１２が起きてアクセル１６を制限する斜視図である。
【図３】本発明の電動式．ケース２１とストッパー１２が倒れた状態の斜視図である。
【図４】ケース２１を外し，モーター２が回り筒６が移動して，ストッパー１２起こしアクセル１６を制限する斜視図である。ここから１．６倍の大きさで分かり易くした図面である。
【図５】下の筒３，ラセンの穴４，５が二つ左右対象ある斜視図である。
【図６】上の筒６，バー７と重り８とアーム１０の溝９の付いた斜視図である。
【図７】アーム１０の斜視図である。
【図８】ワイヤー１１に引かれストッパー１２が起きている斜視図である。
【符号の説明】１．スイッチ                    ２．モーター
３．下の筒                      ４．ラセンの穴
５．ラセンの穴                  ６．上の筒
７．バー                        ８．重り
９．溝                          １０．アーム
１１．ワイヤー                  １２，ストッパー
１３．スプリング                １４．蝶番
１５．台                        １６．アクセル
１７．スイッチ                  １８．シフトレバー
１９．バック                    ２０．パーキング
２１．ケース                    ２２．ロッド
２３．ストッパー止め
【図１】
2012153352.tif 000003
【図２】
2012153352.tif 000004
【図３】
2012153352.tif 000005
【図４】
2012153352.tif 000006
【図５】
2012153352.tif 000007
【図６】
2012153352.tif 000008
【図７】
2012153352.tif 000009
【図８】
2012153352.tif 000010
(57)【要約】      （修正有）【課題】クランクペダル踏んだ時に後輪スプロケット直形小さく歯数少ない時にはペダル踏むとき強い力が必要になる。又後輪のスプロケット直形を大きくすると踏む力は弱くなるがスピード落ちるのでペダル踏む回転を早くしなければスピード保持出来ない欠点がある。【解決手段】クランクスプロケット１と後輪スプロケット２の間に３箇所目の２段スプロケット３と４を取り付けしたものである。２段スプロケット３と４は一体で回転し、チエーン５は１と３のスプロットつなぎ、４と２をつなぐものである。走行方法はクランクペダル７を踏み２段スプロケット３を回転させるとスプロケット４は直形大きい為に、クランクスプロケット１の数倍回転する。その為に後輪スプロケット２の直形を大きく出来るので、クランクスプロケット１の回転を下げてもスピードが維持出来て、楽に走行できる。【選択図】図１
2012153353.tif 000002
【特許請求の範囲】
【請求項１】
クランクスプロケットと後輪スプロケット間に  大小一体の２段スプロケットを取り付けて  クランクスプロケットより２段スプロケット４直形大きい方が多く回転出来る様にした自転車
【請求項２】
クランクスプロケットと後輪スプロケット間に、多段スプロケット取り付けした自転車
【発明の詳細な説明】
【技術分野】
【０００１】  本発明は  クランクスプロケットと  後輪スプロケット間に３箇所目のスプロケット取り付けし  楽に早く走行できる様にした  自転車を提供するものである
【背景技術】
【０００２】  従来の走行はクランクスプロケットと後輪スプロケットを  チエーンで結びペダルを踏み後輪回転させ走行するものである
【発明が解決しようとする課題】
【０００３】  単段スプロケット使用で  ペダル踏んだ場合に後輪スプロケット直形が小さく歯数少ない時  ペダル踏むのに強い力がいる  又  直形が大きく歯数多い時はペダル踏む力は弱くて済むが回転を早くしなければならない欠点がある  そこで楽に早く走行を出来る様にしようとするものである
【問題解決しようとする為の手段】
【０００４】  本発明の図１は  横面図である  図面にて説明すると    １クランクスプロケットと  ２後輪スプロケット間に  ３箇所目の２段スプロケット３と４を設置した物である  ３と４は一体で回転するものである  チエーンは１クランクスプロケット３スプロケット間を結び  ４スプロケット２スプロケット間を結ぶものである  以上の様な構造である  走行方法としては    １クランクスプロケットのペダル踏み込み  ２段スプロケット３をチエーンにて回転させると  ２段スプロケット４は直形大きい為にクランクスプロケットより数倍回転するので  後輪スプロケット２は直形大きく出来る  その為  クランクスプロケット回転下げてもスピード落ちない  又  楽に走行が出来る様になる    ３箇所目のスプロケット多段に変更すると何通りにも走行方法が楽しめる様になる
【発明の効果】
【０００５】  クランクスプロケットより  ２段目スプロケット４の方が回転多く出来るので後輪スプロケット直形大きくしてもクランクスプロケットの回転押さえられるので  楽に早く走行が出来る
【図面の簡単な説明】
【０００６】  １  クランクスプロケット            ５  チエーン
２  後輪スプロケット                ６  クランク
３  ２段スプロケット直形小さい方    ７  ペダル
４  ２段スプロケット直形大きい方
【図１】
2012153353.tif 000003
【手続補正書】
【提出日】平成23年3月7日(2011.3.7)
【手続補正２】
【補正対象書類名】明細書
【補正対象項目名】０００６
【補正方法】変更
【補正の内容】
【０００６】
【図１】
本発明の正面図である
【符号の説明】
１  クランクスプロケット          ５  チエーン
２  後輪スプロケット              ６  クランク
３  ２段スプロケット直形小さい方  ７  ペダル
４  ２段スプロケット直形大きい方
(57)【要約】      （修正有）【課題】飛行機が着陸する際にタイヤが著しく摩耗することによるタイヤの保護及びそれに伴うタイヤ損傷による事故防止、燃費の向上、タイヤの点検・交換業務の縮小、並びに、旅客運送業務増等を図るためのシステムを提供する。【解決手段】飛行機が着陸する際に生ずるタイヤ１の摩耗防止及び着陸後にタイヤによる風圧を利用した制動を可能とすることによって、飛行機が着陸する際に、当システムによる仕組みにより着地前にタイヤを前転させてタイヤの著しい摩耗を防止し、着陸後にはその仕組みによりタイヤにブレーキ力を与えて制動する。【選択図】図１
2012153351.tif 000002
【特許請求の範囲】
【請求項１】
飛行機が着陸する際に、タイヤが滑走路に接触する時に大きな摩擦力によって摩擦熱が生じて白煙が生じている状態であり、これによるタイヤの摩耗は著しく、ゴムという資源及び諸経費の浪費等を当発明によって解決し、更に、場合によってはパンクが発生することによる航空機事故の発生を防止し、併せて、旅客数増を図るためのシステム。
【請求項２】
飛行機に装着のタイヤを、滑走路に着地する前に前転方向への回転力を発生させて、着地時のタイヤの周速度と飛行機の着陸速度をほぼ同様とすることにより、前記のタイヤ摩耗やパンクによる飛行機事故等を防止するシステム。
【請求項３】
飛行機が着陸態勢で車輪を機外に出した際に、車輪が風圧を利用して案内羽根等により、タイヤを前転方向に回転させるシステム。
【請求項４】
飛行機が着地後は逆に請求項３の原理を利用して車輪に風圧によって制動力を掛け、ブレーキシステムの保護、停止距離の短縮と静止時間の短縮、及び、燃料の節約等を行うシステム。
【発明の詳細な説明】
【発明の詳細な説明】
【技術分野】
【０００１】  本発明は、飛行機が着陸する際にタイヤが着地した時の摩擦熱によりタイヤが著しく摩耗し、かつ、その結果によってはタイヤがパンクすることによる飛行機事故の発生等を防止し、更には、飛行機の燃費の向上、着陸時間の短縮及びタイヤの点検や交換業務の短縮による発着便数増による、旅客数増等を図るためのシステムに関すること。
【背景技術】
【０００２】  飛行機が着陸する際のタイヤの状態は、着陸する直前までは機内に格納されているため当然無回転状態であり、着陸のため機外に出しても回転することがない状態であるが、着地の瞬間に一般的な飛行機で時速約３００ｋｍ／ｈ前後のスピードで着地するためタイヤは一気にその回転数まで上昇し、その短時間中は摩擦熱によりタイヤ表面が溶けて著しく摩耗し、その結果、上記の諸問題が発生していたが解決されていなかったこと。
【発明が解決しようとする課題】
【０００３】  飛行機が着陸する際に、タイヤが着地直前までは無回転状態から、着地の瞬間に一般的な飛行機で約３００ｋｍ／ｈのスピードの回転数まで一気に上昇する際にそれにより発生する摩擦熱でタイヤ表面が著しく摩耗することによる上記の諸問題が発生していたこと。
【０００４】  本発明は、飛行機が着陸する際にタイヤが着地した時の摩擦熱によりタイヤが著しく摩耗こと等による上記の諸問題を図るためことを目的としている。
【課題を解決するための手段】
および
【発明を実施するための形態】
【０００５】    上記目的を達成するために本発明の飛行機タイヤの摩耗・事故防止システムは、前記の請求項１から４のとおりであり、これを図で説明すると図１〜図４のとおりである。
具体的に説明すると次のとおり。
【０００６】  飛行機の車輪は、飛行中は機内に格納して停止状態のままであり、また着陸状態のため機外に出しても物理的変化はなく無回転のままである。
この無回転のタイヤに回転を与えるためには、飛行機が空中を飛行する際のスピードで得られる風圧を利用してタイヤに回転力を生じさせ、着地時の飛行機のスピードとタイヤの「周速度」を可能な限り近くし、その値が同一となったときに摩擦熱はほぼ生じなくなる。
【０００７】  そのためには請求項３のとおり、飛行機が着陸態勢で車輪を機外に出した際に車輪が風圧によって案内羽根等によりタイヤを前転方向に回転させるシステム。
つまり、図１及び図２に示すとおり車輪に案内羽根を取り付ける等の状態にして、飛行機の進行方向の車輪の下側は風圧を受け、上側は風圧を受けない構造にすることにより、飛行機が着陸時に車輪を機外に出した際に風圧により車輪が前転方向に回転するシステム。
【０００８】  飛行機が着地した後は、上記の車輪の案内羽根等を反転させることによって風圧を利用して逆に車輪にブレーキをかけるシステム。
【０００９】  つまり、車輪を出してから着地までは、図１にしめすとおり車輪に案内羽根を取り付けた構造により、飛行機の進行方向の車輪の下側は風圧を受け、上側は風圧を受けない様な形状にすることにより、飛行機が着陸時に車輪を機外に出した際に風圧により車輪が前転方向に回転するシステム。
【００１０】  次ぎに着地後は、図３及び図４に示すとおり車輪の案内羽根を反転して、飛行機の進行方向の車輪の上側は風圧を受け、下側は風圧を受けない形状にすることによって、飛行機の着陸後に車輪が風圧によってブレーキをかけるシステム。
【発明の効果】
当発明によって、飛行機が着陸する際にタイヤが着地した時の摩擦熱によりタイヤが著しく摩耗し、かつ、その結果によってはタイヤがパンクすることによる飛行機事故の発生等を防止し、更には、飛行機の燃費の向上、着陸時間の短縮及びタイヤの点検や交換業務の短縮による発着便数増による、旅客増等を図ることが可能となるシステム。
【図面の簡単な説明】
【図１】当発明の着陸前の状況を示すタイヤの見取図
【図２】同上の図１を、上から見た「平面図」による説明図
【図３】当発明の着陸後の状況を示すタイヤの見取図
【図４】同上の図３を、上から見た「平面図」による説明図
【符号の説明】１  タイヤ
２  ホイール
３  車軸
４  進行方向
５  案内板の方向（車軸より下）
６  案内板の方向（車軸より上）
７  空中で生ずる、車輪の回転方向
８  風圧
【図１】
2012153351.tif 000003
【図２】
2012153351.tif 000004
【図３】
2012153351.tif 000005
【図４】
2012153351.tif 000006
(57)【要約】      （修正有）【課題】コルク栓にスクリューを中央にまっすぐねじ込むことができ、小さな力で引き抜くことが出来るコルク栓抜きを提供する。【解決手段】スクリュー式のコルク栓抜きのワイン瓶口１２との装着部２をかぶせるようにして、その装着部の一部を取り除き、ワイン瓶口と一所に握ることでコルク栓抜きとワイン瓶口を一体化でき、スクリュー４をコルク栓７の中央にまっすぐねじ込むことが出来る。その、スクリューをねじ込んだコルク栓を引き抜くためには、はさみ金具１０の片側をテコの原理を利用して数回に分け除々に引き抜くことで、大きな力を必要としないものである。【選択図】図３
2012153432.tif 000002
【特許請求の範囲】
【請求項１】
ワイン瓶口にかぶせる装着部を有するスクリュー式のコルク栓抜きにおいて、前記の装着部の一部を取り除きワイン瓶口と一所に握ることで、一体化の保持することを特徴とするコルク栓抜き。
【請求項２】
ワイン瓶口にかぶせる装着部を有するスクリュー式のコルク栓抜きにおいて、前記のコルク栓抜きの本体に円柱を通し、その円柱にスクリューとレバーを付けその円柱に通したはさみ金具の片側をテコの原理を利用して、コルク栓を引き抜くことを特徴とするコルク抜き。
【請求項３】
ワイン瓶口にかぶせる装着部を有するスクリュー式のコルク栓抜きにおいて、前記の装着部を二分割にして、その上部を板バネにすることでワイン瓶口を挟んで一体化を保持することを特徴とするコルク栓抜き。
【発明の詳細な説明】
【技術分野】
【０００１】  本発明は、ワイン瓶口に圧入されたコルク栓を引き抜く時に使用するスクリュー式のコルク栓抜きに関する。
【背景技術】
【０００２】  従来から、ワイン瓶口に圧入されたコルク栓を引き抜くため、ラックとピニオンを用いた構造のものや、Ｔ型などいろいろなスクリュー式のコルク栓抜きが使用されている。
【発明の概要】
【発明が解決しようとする課題】
【０００３】  従来のスクリュー式のコルク栓抜きは、コルク栓にスクリューをねじ込む時、中央からずれたり斜めにねじ込んだりして、コルク栓を引き抜きずらい時があったりうまくねじ込んでも引き抜く時は、かなりの力を必要で女性など力の弱い人などは苦労している人が多い。
本発明は、コルク栓にスクリューを中央にまっすぐねじ込むことができ、小さな力で引き抜くことが出来る構造である。
【課題を解決するための手段】
【０００４】  本発明は、スクリューをコルク栓の中央にまっすぐねじ込むためには、ワイン瓶口に一部を取り除いた装着部をかぶせて一所に握ることで、さらに、コルク栓を引き抜くためには、はさみ金具とテコの原理を利用することで上記の課題を解決したものである。
【発明の効果】
【０００５】  スクリューをコルク栓にねじ込む際、一部を取り除いた装着部とワイン瓶口を一所に握ることで一体化が保持することが出来、それにより誰でもスクリューをコルク栓の中央にまっすぐねじ込める効果がある。【０００６】  さらに、コルク栓を引き抜く際、コルク栓にねじ込むスクリューに円柱を付け、その円柱にはさみ金具を通しそのはさみ金具の片側をテコの原理を利用して押し上げることにより、女性などの力の弱い人でも楽に引き抜く事が出来る効果がある。
【図面の簡単な説明】
【０００７】
【図１】  本発明のワイン瓶口に一体化するように装着部をかぶせた状態の正面図である。
【図２】  本発明のスクリューをコルク栓の中央にまっすぐねじ込んだ状態の縦断面図である。
【図３】  本発明のコルク栓抜きでコルク栓を全て引き抜いた状態の縦断面図である。
【図４】  木発明のワイン瓶口を装着部で挟み一体化させた状態の左側面図である。
【発明を実施するための形態】
【０００８】  以下、本発明はワイン瓶口に圧入されたコルク栓を引き抜くためのもので図面を参照して説明する。
【０００９】  本発明の、一部を取り除いたかぶせる装着部２と、ワイン瓶口１２を一所に握ることで一体化を維持した状態が図１である。
【００１０】  上記の状態から、スクリュー４をグリップ６を回しコルク栓７の中央にまっすぐねじ込んだ状態が図２である。
【００１１】  図３は、本体１に通した軸８で上下出来る様にしたハンドル３を下げると、その先に付けた横棒９で円柱５に通したはさみ金具１０の片側をテコの原理を利用して上げると、はさみ金具１０の穴は円柱５の太さよりやや大きくしているため傾き、穴の内側の角で円柱５をはさみコルク栓７にねじ込んだスクリュー４ごと引き上がる。ハンドル３を上げるとはさみ金具１０だけスプリング１１に押し下げられ元にもどる。
以上のように、ハンドル３を数回上げ下げして完全にコルク栓７を引き抜いた状態である。
【実施例】  請求項３に対応するもので、装着部２を二分割にしてその上部を板バネ１３にしワイン瓶口１２を挟んで一体化を維持した状態にしたのが図４である。
【符号の説明】
【００１２】１    本体
２    装着部
３    ハンドル
４    スクリュー
５    円柱
６    グリップ
７    コルク栓
８    軸
９    横棒
１０  はさみ金具
１１  スプリング
１２  ワイン瓶口
１３  板バネ
【図１】
2012153432.tif 000003
【図２】
2012153432.tif 000004
【図３】
2012153432.tif 000005
【図４】
2012153432.tif 000006
(57)【要約】      （修正有）【課題】茶葉搬送用バケットに茶葉が付着しないような製茶用バケットコンベヤを提供する。【解決手段】製茶用バケットコンベヤ１において、茶葉搬送用バケット２の茶葉との接触部に表面が凹凸形状のゴム製部材を貼り付ける製茶用バケットコンベヤである。【選択図】図１
2012153479.tif 000002
【特許請求の範囲】
【請求項１】
製茶用バケットコンベヤにおいて、茶葉搬送用バケットの茶葉との接触部に表面が凹凸形状の部材を貼り付けることを特徴とする製茶用バケットコンベヤ。
【請求項２】
表面が凹凸形状の部材は、ゴム製であることを特徴とする請求項１記載の製茶用バケットコンベヤ。
【発明の詳細な説明】
【技術分野】
【０００１】
本発明は、製茶工程において、茶葉を搬送するための製茶用バケットコンベヤに関するものである。
【背景技術】
【０００２】
製茶工程において、茶葉を下から上へ輸送する手段として製茶用バケットコンベヤが使用されている。これらは、ローラを上下に設置し、上部のローラと下部のローラ間にベルトを張設し、これに椀状の茶葉搬送用バケットを多数取付けたものである。上下のローラ間のベルトは樹脂ベルト等の非金属性が一般的に使用されており、茶葉搬送用バケットは金属製（表面処理鋼板、ＳＵＳ等）が使用されていた。
【０００３】
製茶工程において、茶葉の洗浄、脱水処理を行なうことは、鹿児島県を主に桜島の降灰に対して行なわれることが知られている。洗浄、脱水された茶葉は、表面水分は概ねとられているが、完全ではないため、完全に表面水分を取り除くために、次に金網の回転するドラムの外側から熱風をあて、その中を茶葉を通過させる茶葉処理機を使用する。脱水機の取出部は床面に近く、茶葉処理機の投入口は上方（床面より２〜３ｍ位）のため、脱水機から取り出された茶葉は振動コンベヤで受けて、次にバケットコンベヤで上方にあげる必要があった。運転開始直後は良いが、しばらくすると、茶葉に僅かに付着している水分が、茶葉搬送用バケットにも付着して、更には茶葉そのものが付着するという現象が発生してしまった。
【０００４】
このため、特許文献１のシート９のようなものが考案されたが、実用化されていなかった。
【先行技術文献】
【特許文献】
【０００５】
【特許文献１】実全平２−２８８１５号明細書
【発明の概要】
【発明が解決しようとする課題】
【０００６】
従来の製茶用バケットコンベヤによると、茶葉搬送用バケットに茶葉が付着してしまい、終了後の掃除も大変手間がかかって、重労働であった。またそれ以上に付着して時間が経過して変質した茶葉が時々剥離して良質の生茶葉に混ざってしまうという問題もあった。そのことは製品の品質低下に直結する大問題であった。
【０００７】
本発明は、上記の問題を解決するために、茶葉搬送用バケットに茶葉が付着しないような製茶用バケットコンベヤを提供することを課題としている。
【課題を解決するための手段】
【０００８】
本発明の第１手段は、製茶用バケットコンベヤにおいて、茶葉搬送用バケットの茶葉との接触部に表面が凹凸形状の部材を貼り付けることを特徴とする製茶用バケットコンベヤである。第２手段は、前記第１手段の表面が凹凸形状の部材は、ゴム製であることを特徴とする製茶用バケットコンベヤである。
【発明の効果】
【０００９】
本発明により、茶葉搬送用バケットと茶葉との接触が面接触から点接触になり、たとえそれぞれに水分が付着していても、茶葉搬送用バケットに茶葉が付着することがなくなり、作業終了後の掃除も簡単にできる。また以前のように、付着して時間が経過して変質した茶葉が混ざることもなくなり、品質向上に寄与している。
【図面の簡単な説明】
【００１０】
【図１】図１は製茶用バケットコンベヤの設置例である。
【図２】図２は茶葉搬送用バケットの斜視図である。
【図３】図３は茶葉搬送用バケットと茶葉の接触部を示した詳細図である。
【図４】図４は従来の茶葉搬送用バケットと茶葉の接触部を示した詳細図である。
【発明を実施するための形態】
【００１１】
図１は設置例であり、茶葉は図の左の製茶機械６から右の製茶機械７へ移動する。このとき、製茶機械６の下部から振動コンベヤ８へ茶葉を取り出し、製茶機械７の上部からベルトコンベヤ９にて茶葉を投入するため、振動コンベヤ８からベルトコンベヤ９へ茶葉を移送するための製茶用バケットコンベヤ１が必要となる。この時、製茶機械７としては、製造工程の中で比較的水分の多い揉捻機までが考えられ、茶葉を保管するための茶葉コンテナや茶葉を洗浄した後の脱水機、蒸機、葉打機、粗揉機、揉捻機など限定はしない。水分が多い茶葉を搬送する場合に、効果的である。
【００１２】
製茶用バケットコンベヤ１はローラ３、４を上下に設置し、上部のローラ３と下部のローラ４間にベルト５を張設し、これに椀状の茶葉搬送用バケット２を多数取付けたものである。
【００１３】
図２は茶葉搬送用バケット２の斜視図であり、茶葉搬送用バケット２は通常、金属１１製であるが、その金属１１の茶葉との接触部に表面が凹凸形状の部材１２を貼り付けてある。図２では茶葉搬送用バケット２の側面２ａには表面が凹凸形状の部材１２を貼り付けてないが、貼り付けてもよい。
【００１４】
茶葉搬送用バケット２の表面が凹凸形状の部材１２と茶生葉１０との接触部の詳細を図３に示す。茶葉１０と茶葉搬送用バケット２の接触部が凸部のみとなり、点接触のため、茶葉１０は茶葉搬送用バケット２に貼り付くことはない。製茶用バケットコンベヤ１の上部で茶葉搬送用バケット２が反転すると、茶葉１０は茶葉搬送用バケット２から離れて落ちる。
【００１５】
従来の茶葉搬送用バケット２と茶葉１０との接触部の詳細を図４に示す。茶葉搬送用バケット２の金属１１は表面が滑らかであり、茶葉１０の表面に水分が付着していると、茶葉１０と茶葉搬送用バケット２の金属１１とは水の表面張力により貼りつく。水の表面張力により貼りつくと、製茶用バケットコンベヤ１の上部で茶葉搬送用バケット２が反転しても、茶葉１０は茶葉搬送用バケット２の金属１１から離れにくく、落ちない茶葉が発生する。茶葉搬送用バケット２の金属１１に貼りついた茶葉は、時間が経ち、茶葉の水分がなくなった頃に剥がれ落ちたり、掃除をするまで剥がれなかったりする。
【実施例１】
【００１６】
表面が凹凸形状の部材１２として、ゴム、人工芝、ＳＵＳ製金網などがあり、その中でも、ゴムが一番効果的であった。茶葉搬送用バケット２への貼り付け時には、ゴムマットなどを適宜な大きさに切り取り、接着剤とリベットにより貼り付けると良い。使用するゴムマットは、勿論、食品衛生法に適合する材質のものを用いる。
【符号の説明】
【００１７】
１    製茶用バケットコンベヤ
２    茶葉搬送用バケット
２ａ    側面
３    ローラ（上部）
４    ローラ（下部）
５    ベルト
６    製茶機械
７    製茶機械
８    振動コンベヤ
９    ベルトコンベヤ
１０    茶葉
１１    金属
１２    表面が凹凸形状の部材
【図１】
2012153479.tif 000003
【図２】
2012153479.tif 000004
【図３】
2012153479.tif 000005
【図４】
2012153479.tif 000006